(57)【要約】【課題】  この発明は、樹脂製滑り止め材の脱落を抑制した陳列棚用ブラケットを提供することを目的とする。【解決手段】  この発明は、サポート部材１０２に上下多段に設けられたスリット１０７に、後端部に設けられた係止フック１０が挿入され片持ち状に支持され、上部に棚板が載置される陳列棚用ブラケット１において、棚板が載置される面１ａに装着される断面コの字状の樹脂製滑り止め材１１０と、載置面１ａに設けられ滑り止め材１１０のブラケット１からの脱落を抑制する突部１４ａと、を備え、突部１４ａの高さが滑り止め材１１０の樹脂の弾性力で吸収可能な高さに形成されている。【選択図】  図４
2008136685.tif 000002
【特許請求の範囲】
【請求項１】
サポート部材に上下多段に設けられたスリットに、後端部に設けられた係止フックが挿入され片持ち状に支持され、上部に棚板が載置される陳列棚用ブラケットにおいて、前記棚板が載置される面に装着される断面コの字状の樹脂製滑り止め材と、前記載置面に設けられ前記滑り止め材のブラケットからの脱落を抑制する突部とを備え、前記突部の高さが滑り止め材の樹脂の弾性力で吸収可能な高さに形成されていることを特徴とする陳列棚用ブラケット。
【発明の詳細な説明】
【技術分野】
【０００１】
この発明は、チャンネル鋼材やパイプ鋼材に上下多段にスリットを設けたサポート部材へ片持ち状に支持される陳列棚用ブラケットに関し、特にブラケット上にガラス板からなる棚板を載置するものである。
【背景技術】
【０００２】
店舗などに陳列棚を設置する場合、例えば、図１０の従来の陳列棚の斜視図に示すように、適当な間隔を置いて設置された支柱１０１にそれぞれチャンネル鋼材などからなるサポート部材１０２をタップネジ（図示しない）を用いて固定し、このサポート部材１０２に板状のブラケット１を係止し、更にこのブラケット１の上に棚板１０４が載せられる。サポート部材１０２の間には必要に応じてバックボード１０５が設置される。
【０００３】
図１１の縦断側面図に示すように、前記ブラケット１の後端部には上下２段以上の倒L字形に垂れ下がる係止フック１０が形成され、又、サポート部材１０２はこれら係止フック１０が挿抜される上下多段のスリット１０７と、これらスリット１０７から内部に挿入された係止フック１０が上下に移動できる縦溝１０８とを備える。そして、前記ブラケット１は、サポート部材１０２の前面に形成されたスリット１０７から係止フック１０を挿入してブラケット１を下げるという手順でチャンネル型サポート１０２に係止される。
【０００４】
ところで、上記したブラケット１上に載置される棚板１０４として、ガラス板を用いる場合には、図１１に示すように、ガラス板へのクッション材と滑り止めとの機能を有する樹脂製滑り止め材１１０がブラケット１の棚板載置面上に嵌め込むものが知られている（例えば、非特許文献１）。
【非特許文献１】株式会社ロイヤルの製品カタログ「ＳＴＯＲＥ  ＦＩＸＴＵＲＥＳ  ＭＡＩＮ  ＣＡＴＡＬＯＧＵＥ  ２００６−８」の７９頁ないし８０頁
【発明の開示】
【発明が解決しようとする課題】
【０００５】
しかしながら、上記した樹脂製滑り止め材１１０とガラス板との間の密着性はよく、ガラス板からなる棚板１０４をずらした場合になどには、ガラス板とともに樹脂製滑り止め材１１０が移動し、ブラケット１から樹脂製滑り止め材１１０が脱落する虞があった。
【０００６】
この発明は、上記した従来の問題点に鑑みなされたものにして、樹脂製滑り止め材の脱落を抑制した陳列棚用ブラケットを提供することを目的とする。
【課題を解決するための手段】
【０００７】
この発明の陳列棚用ブラケットは、サポート部材に上下多段に設けられたスリットに、後端部に設けられた係止フックが挿入され片持ち状に支持され、上部に棚板が載置される陳列棚用ブラケットにおいて、前記棚板が載置される面に装着される断面コの字状の樹脂製滑り止め材と、前記載置面に設けられ前記滑り止め材のブラケットからの脱落を抑制する突部と、を備え、前記突部の高さが滑り止め材の樹脂の弾性力で吸収可能な高さに形成されていることを特徴とする。
【発明の効果】
【０００８】
樹脂製滑り止め材をブラケット１の棚板載置面に固定すると突部が樹脂製滑り止め材に食い込むので、樹脂製滑り止め材の脱落を抑制することができる。また、突部の高さを滑り止め材の樹脂の弾性力で吸収可能な高さに形成されているので、滑り止め材の棚板載置面には突出部は形成されず、この上に載置される棚板の安定性を阻害することもない。
【発明を実施するための最良の形態】
【０００９】
この発明の実施の形態について図面を参照しながら詳細に説明する。なお、図中同一または相当部分には同一符号を付し、説明の重複を避けるためにその説明は繰返さない。
【００１０】
図１は、この発明の実施形態に係る陳列棚用ブラケットを示す側面図である。図２は、この発明の実施形態に係る陳列棚用ブラケットの根元部を拡大した側面図、図３は、この発明の実施形態に係る陳列棚用ブラケットの先端部を拡大した側面図である。
【００１１】
図４は、係止フックをスリット内に挿入させてブラケットを固定した状態を示す一部を断面した側面図である。
【００１２】
図５は、この発明に用いられる樹脂製滑り止め材を示す斜視図、図６は、この発明の実施形態に係る陳列棚用ブラケットの根元部に樹脂製滑り止め材を装着した状態を拡大した側面図、図７は、この発明の実施形態に係る陳列棚用ブラケットの先端部に樹脂製滑り止め材を装着した状態を拡大した側面図である。
【００１３】
ブラケット１の後端部には上下２段以上、この実施形態では２段の倒L字形に垂れ下がる係止フック１０が形成されている。この係止フック１０にはサポート１０２のスリット１０７に嵌め込むための矩形状の切り込み１１が設けられている。
【００１４】
図４に示すように、ブラケット１の係止フック１０をサポート部材１０２のスリット１０７に挿入してブラケット１を下げるという手順でサポート部材１０２に係止することで、サポート部材１０２にブラケット１が片持ち状に支持される。
【００１５】
この実施形態のブラケット１には、開き止め補強バーが嵌め込まれる凹所１３が形成されている。左右のサポート部材１０２にそれぞれ取り付けられた一対のブラケット１、１間に開き止め補強バー１２０を凹所１３に嵌め込むことで左右のブラケット１、１の開きが防止できる。
【００１６】
さて、この発明にかかるブラケット１は、棚板載置面１ａに突部１４ａ〜１４ｃが形成されている。この突部１４ａ〜１４ｃは、棚板１０４（ガラス板）へのクッション材と滑り止めとの機能を有する樹脂製滑り止め材１１０をブラケット１から脱落するのを抑制するものである。そして、突部１４ａ〜１４ｃは、ブラケット１の棚板載置面１ａに装着される高さを樹脂製滑り止め材１１０の樹脂の弾性力で吸収可能な高さに形成されている。
【００１７】
この樹脂製滑り止め材１１０は、図５に示すように、ＥＶＡ樹脂（エチレン−酢酸ビニル共重合樹脂）で形成された断面コ字状の矩形部材で構成され、開口部１１０ａがブラケット１の厚さより若干小さく形成され、ブラケット１の棚板載置面１ａに圧入して固定される。
【００１８】
このブラケット１は、例えば２．６ｍｍ〜３．０ｍｍの板厚の鋼材を打ち抜き加工により形成される。また、サポート１０２のスリット幅は、例えば、３．３ｍｍである。
【００１９】
上記した突部１４ａ〜１４ｄは、この実施形態においては、０．３ｍｍの高さを有して鋸波状に形成されている。尚、突部１４ａ〜１４ｃ形状は、鋸波状に限らず、樹脂製滑り止め材１１０に食い込み、樹脂製滑り止め部材１１０がブラケット１から滑落することができる形状であれば特に問わない。
【００２０】
また、凹所１３は深さ０．５ｍｍに形成されている。そして、凹所１３の端には、突部１４ａ、１４ｂ、１４ｃが形成されている。この結果、凹所１３の一端部は、この実施形態においては、底面から先端まで０．８ｍｍの高さになる。この高さにより、補強バー１２０を装着する際の位置決めにも突部１４ａ、１４ｂを利用できる。
【００２１】
図４、図６及び図７に示すように、樹脂製滑り止め材１１０の開口部１１０ａをブラケット１の棚板載置面１ａに圧入して固定すると突部１４ａ〜１４ｃが樹脂製滑り止め材１１０に食い込む。そして、突部１４ａ〜１４ｃの高さを滑り止め材１１０の樹脂の弾性力で吸収可能な高さに形成されており、滑り止め材１１０の棚板載置面には突出部は形成されないので、この上に載置される棚板１０４の安定性を阻害することもない。
【００２２】
図６は、凹所１３に補強バー１２０を嵌め込んでいない場合の樹脂製滑り止め材１１０の状態を示し、図７は、凹所１３に補強バー１２０を嵌め込んでいる場合の樹脂製滑り止め材１１０の状態を示している。補強バー１２０が有る場合には、この補強バー１２０により、その前後に対して樹脂製滑り止め材１１０の移動は規制される。
【００２３】
図８に、２つの凹所１３に補強バー１２０を嵌め込んでいない場合の樹脂製滑り止め材１１０の状態を示す。図８に示すように、この場合には、３つの突部１４ａ〜１４ｃで、樹脂製滑り止め材１１０の脱落等を抑制している。
【００２４】
図９に、２つの凹所１３に補強バー１２０を嵌め込んでいる場合の樹脂製滑り止め材１１０の状態を示す。図９に示す例においては、先端の樹脂製滑り止め材１１０が突部１４ｃにより、脱落等が抑制されている。他の２つの樹脂製滑り止め材１１０は、突部の食い込みはないが、前述したように、補強バー１２０により、その前後に対して樹脂製滑り止め材１１０の移動は規制されるので、脱落等は抑制できる。
【００２５】
上記した実施形態においては、補強バー１２０を装着するための凹所１３を設けたブラケット１にこの発明を適用したが、凹所を形成していないブラケットにも勿論この発明は適用できる。
【００２６】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００２７】
この発明は店舗用の陳列棚などに用いられる。
【図面の簡単な説明】
【００２８】
【図１】この発明の実施形態に係る陳列棚用ブラケットを示す側面図である。
【図２】この発明の実施形態に係る陳列棚用ブラケットの根元部を拡大した側面図である。
【図３】この発明の実施形態に係る陳列棚用ブラケットの先端部を拡大した側面図である。
【図４】係止フックをスリット内に挿入させてブラケットを固定した状態示す一部を断面した側面図である。
【図５】この発明に用いられる樹脂製滑り止め材を示す斜視図である。
【図６】この発明の実施形態に係る陳列棚用ブラケットの根元部に樹脂製滑り止め材を装着した状態を拡大した側面図である。
【図７】この発明の実施形態に係る陳列棚用ブラケットの先端部に樹脂製滑り止め材を装着した状態を拡大した側面図である。
【図８】２つの凹所に補強バーを嵌め込んでいない場合の樹脂製滑り止め材の状態を示す側面図である。
【図９】２つの凹所に補強バーを嵌め込んでいる場合の樹脂製滑り止め材の状態を示す側面図である。
【図１０】従来の陳列棚の斜視図である。
【図１１】従来例の縦断側面図である。
【符号の説明】
【００２９】
１  ブラケット、１０  係止フック、１３  凹所、１４ａ〜１４ｃ  突部、１０２  サポート部材、１０４  棚板、１０７  スリット、１１０  樹脂製滑り止め材。
【図１】
2008136685.tif 000003
【図２】
2008136685.tif 000004
【図３】
2008136685.tif 000005
【図４】
2008136685.tif 000006
【図５】
2008136685.tif 000007
【図６】
2008136685.tif 000008
【図７】
2008136685.tif 000009
【図８】
2008136685.tif 000010
【図９】
2008136685.tif 000011
【図１０】
2008136685.tif 000012
【図１１】
2008136685.tif 000013